(57)【要約】  装置は、入力ノード（２２６）を含む受信器チェーン（２４１）と、タップ（２２８）および出力ノード（２１４）を含む送信器チェーン（２００）とを備える。補助送信器チェーン（２２７）は、タップノード（２２８）に結合された補助入力ノード（２２９）、適応フィルタユニット（２３１、２５２、２５５）、および入力ノード（２２６）に結合された信号出力を含む。フィルタユニット（２３１、２５２、２５５）は、補間プロセッサ（２５５）、ならびに適応フィルタ（２３１）、ならびに受信器チェーン（２４１）および適応フィルタ（２３１）に結合された係数プロセッサ（２５２）を含む。送信器チェーン（２００）は、複数の周波数分離信号を含む第１の波形を発生する。同時に、補助チェーン（２２７）は、別の複数の周波数分離信号を含む第２の波形を入力ノード（２２６）において適用する。受信器チェーン（２４１）は、出力ノード（２１４）から結合された波形、および第２の波形を含む合成波形を受信する。第１の波形は、周波数が第２の波形の別の複数の信号と一致するフィルタ（２３１）の係数の決定のために必要とされる信号を欠いている。
2021525013.tif 000002
【特許請求の範囲】
【請求項１】
送信および受信される信号の二重動作を制御するためのアクティブ干渉除去装置であって、前記装置が、
受信信号入力ノードを含む受信器チェーンと、
送信器チェーンタップノードおよび送信器出力ノードを含む送信器チェーンと、
前記送信器チェーンタップノードに動作可能に結合された補助チェーン入力ノードを有する補助送信器チェーンであって、前記補助送信器チェーンが、適応フィルタユニットおよび除去信号出力を含み、前記除去信号出力が、前記受信器チェーンの前記受信信号入力ノードに動作可能に結合されている、補助送信器チェーンと、
補間プロセッサと、
を備え、
前記適応フィルタユニットが係数処理ユニットおよび適応フィルタを含み、前記係数処理ユニットが前記受信器チェーンおよび前記適応フィルタに動作可能に結合され、
前記補間プロセッサが、前記係数処理ユニットと協働するように構成され、
前記送信器チェーンが、使用時に、複数の第1の周波数分離信号を含む第１の波形を発生するように構成され、
前記送信器チェーンと実質的に同時に、前記補助送信器チェーンが、複数の第２の周波数分離信号を含む第２の波形を発生し、前記第２の波形を前記受信信号入力ノードにおいて適用するように構成され、
前記受信器チェーンが、前記送信器チェーンの前記出力ノードから前記受信器チェーンの前記受信信号入力ノードに結合された波形、および前記補助送信器チェーンからの前記第２の波形を含む合成波形を受信するように構成され、
前記第１の波形が、前記第２の波形の前記複数の第２の周波数分離信号と周波数が一致する前記適応フィルタのイコライザ係数の決定のために必要とされる信号を全く含まない、アクティブ干渉除去装置。
【請求項２】
前記第１の波形が複数の第１の副搬送波に対応し、前記第２の波形が複数の第２の副搬送波に対応し、前記第１および第２の副搬送波が異なる、請求項１に記載の装置。
【請求項３】
前記第１の波形には、前記第２の波形の前記複数の第２の周波数分離信号によって占有される周波数における前記適応フィルタの前記イコライザ係数の決定のために必要とされる信号が存在しない、請求項１または２に記載の装置。
【請求項４】
前記第２の波形には、前記第１の波形の前記複数の第1の周波数分離信号によって占有される周波数における前記適応フィルタの前記イコライザ係数の決定のために必要とされる信号が存在しない、請求項１、２、または３に記載の装置。
【請求項５】
前記複数の第1の周波数分離信号および前記複数の第２の周波数分離信号が周波数領域において交互配置されている、請求項１から４のいずれか一項に記載の装置。
【請求項６】
前記適応フィルタユニットが、前記送信器チェーンおよび前記受信器チェーン内およびそれらの間で前記第１の波形によって経験される変化をモデル化する周波数領域自己干渉伝達関数の係数を推定するように構成され、
前記適応フィルタが、前記補助送信器チェーンおよび前記受信器チェーン内およびそれらの間で前記第２の波形によって経験される変化をモデル化する周波数領域除去伝達関数の係数を推定するように構成され、
前記補間プロセッサが、前記第１の波形に存在しない周波数に関する前記周波数領域自己干渉伝達関数の係数、および前記第２の波形に存在しない周波数に関する前記周波数領域除去伝達関数の係数を推定するように構成されている、請求項１から５のいずれか一項に記載の装置。
【請求項７】
前記自己干渉伝達関数が、前記送信器チェーン、前記受信器チェーンによって遂行される前記第１の波形の処理、および前記送信器チェーンから前記受信器チェーンへの前記第１の波形の結合をモデル化し、
前記除去伝達関数が、前記送信器チェーン、前記受信器チェーン、および相互接続回路によって遂行される前記第２の波形の処理をモデル化する、請求項６に記載の装置。
【請求項８】
前記補間プロセッサが、それぞれ、前記第１の波形内に存在する隣接する周波数の間の周波数に関する前記周波数領域自己干渉伝達関数の前記係数を推定するように構成されている、請求項６または７に記載の装置。
【請求項９】
前記補間プロセッサが、それぞれ、前記第２の波形内に存在する隣接する周波数の間の周波数に関する前記周波数領域除去伝達関数の前記係数を推定するように構成されている、請求項６から８のいずれか一項に記載の装置。
【請求項１０】
前記係数処理ユニットが、前記推定された周波数領域自己干渉伝達関数および前記推定された周波数領域除去伝達関数を前記補間プロセッサから受信するように構成され、前記係数処理ユニットが、前記推定された周波数領域自己干渉伝達関数および前記推定された周波数領域除去伝達関数を用いて前記適応フィルタのための前記イコライザ係数を算出するように構成されている、請求項６から９のいずれか一項に記載の装置。
【請求項１１】
前記係数処理ユニットが、前記推定された周波数領域除去伝達関数による前記推定された周波数領域自己干渉伝達関数の負号除算によって前記適応フィルタのフィルタ係数を算出するように構成されている、請求項１０に記載の装置。
【請求項１２】
前記適応フィルタユニットが、前記送信器チェーン内で発生された送信信号に基づくタッピングされた一時的信号を変更するように構成され、これにより、前記変更されたタッピングされた一時的信号が、前記補助送信器チェーンによって完全に処理されたときに、前記送信器出力ノードから前記受信信号入力ノードに結合された前記送信信号を除去する前記受信器チェーンの前記受信信号入力ノードにおいて受信される除去信号をもたらす、請求項１から１１のいずれか一項に記載の装置。
【請求項１３】
前記補助送信器チェーンが前記適応フィルタユニットおよび送信器チェーン処理段階ユニットを含み、前記補助送信器チェーンの前記補助チェーン入力ノードが前記適応フィルタユニットに動作可能に結合され、前記送信器チェーン処理段階ユニットが、前記送信器チェーンのための所望の変調方式に従って、前記タッピングされた一時的信号の処理を完了するように構成されている、請求項１２に記載の装置。
【請求項１４】
前記イコライザ係数を用いて構成された前記適応フィルタが、前記タッピングされた一時的信号を、前記補助送信器チェーンが、前記受信器チェーンの前記受信信号入力ノードにおいて、前記送信器チェーンの前記送信器出力ノードから前記受信器チェーンの前記受信信号入力ノードに結合された前記受信された送信信号の逆位相推定を提供するよう変更するように構成されている、請求項１２または１３に記載の装置。
【請求項１５】
請求項１から１４のいずれか一項に記載のアクティブ干渉除去装置を備える信号絶縁制御装置であって、前記装置が、
入力ノード、出力ノード、アンテナに結合するためのアンテナノード、および平衡ノードを含むハイブリッド回路をさらに備え、
前記受信信号入力ノードが前記ハイブリッド回路の前記出力ノードに動作可能に結合され、
前記送信器チェーン出力ノードが前記ハイブリッド回路の前記入力ノードに動作可能に結合され、
前記送信器チェーンから前記受信器チェーンに結合された前記波形が前記ハイブリッド回路によってその前記入力ノードからその前記出力ノードへ漏洩させられる、信号絶縁制御装置。
【請求項１６】
前記受信器チェーンの出力に動作可能に結合された入力を有する平衡化インピーダンスコントローラと、
前記平衡化インピーダンスコントローラの出力に動作可能に結合された制御入力を有する可変インピーダンスであって、前記可変インピーダンスがまた、前記ハイブリッド回路の前記平衡ノードに動作可能に結合されている、可変インピーダンスと、
をさらに備える、請求項１５に記載の装置。
【請求項１７】
請求項１から１４のいずれか一項に記載のアクティブ干渉除去装置を備える信号絶縁制御装置であって、前記装置が、
前記送信器出力ノードに動作可能に結合された送信アンテナと、
前記受信信号入力ノードに動作可能に結合された受信アンテナと、
をさらに備える信号絶縁制御装置。
【請求項１８】
請求項１５または１６に記載の信号絶縁制御装置を備える二重化装置。
【請求項１９】
請求項１から１４のいずれか一項に記載のアクティブ干渉除去装置、請求項１５から１７のいずれか一項に記載の信号絶縁制御装置、または請求項１８に記載のデュプレクサ装置を備える無線トランシーバ装置。
【請求項２０】
請求項１から１４のいずれか一項に記載のアクティブ干渉除去装置、請求項１５から１７のいずれか一項に記載の信号絶縁制御装置、請求項１８に記載のデュプレクサ装置、または請求項１９に記載のトランシーバ装置を備える通信デバイス。
【請求項２１】
信号の二重化通信のために干渉をアクティブ的に除去する方法であって、前記方法が、
受信器チェーンを提供することと、
送信器チェーンを提供することと、
適応フィルタユニットを含む補助送信器チェーンを提供することと、
前記送信器チェーンが、複数の第1の周波数分離信号を含む第１の波形を送信することと、
前記補助送信器チェーンが、複数の第２の周波数分離信号を含む第２の波形を実質的に同時に発生することと、
前記第２の波形を前記受信器チェーンの入力において適用することと、
前記送信器チェーンからの前記第１の波形を前記受信器チェーンに結合することと、
前記受信器チェーンが、前記送信器チェーンから前記受信器チェーンに結合された波形、および前記補助送信器チェーンからの前記第２の波形を含む合成波形を受信することと、
前記第１の波形が、前記第２の波形の前記複数の第２の周波数分離信号と周波数が一致する前記適応フィルタのイコライザ係数の決定のために必要とされる信号を全く含まないことと、
を含む方法。
【発明の詳細な説明】
【技術分野】
【０００１】
本発明は、例えば、受信信号への適用のための除去信号を発生するための補助送信器チェーンを備える種類のアクティブ干渉除去装置に関する。本発明は、また、例えば、上述されたアクティブ干渉除去装置と併せて利用される、二重化のためのハイブリッド回路を備える種類の信号絶縁制御装置に関する。本発明は、さらに、干渉をアクティブ的に除去する方法であって、本方法が、例えば、補助送信器チェーンが、受信信号に適用される除去信号を発生することを含む種類のものである、方法に関する。
【背景技術】
【０００２】
いくつかの無線通信システムでは、このようなシステムは、ネットワーク・インフラストラクチャ、および例えば、ポータブル通信デバイスであることができる、ユーザ機器を含む。このような通信デバイスは、通例、同じアンテナまたはアンテナのセットを通じて信号を受信および送信する。これは、デバイスが、入力信号および出力信号を、前者が後者によってのまれないよう分離することを可能にするために、何らかの形の二重化方式が必要とされることを意味する。この点においては、時分割二重化（Ｔｉｍｅ−Ｄｉｖｉｓｉｏｎ  Ｄｕｐｌｅｘｉｎｇ、ＴＤＤ）および周波数分割二重化（Ｆｒｅｑｕｅｎｃｙ−Ｄｉｖｉｓｉｏｎ  Ｄｕｐｌｅｘｉｎｇ、ＦＤＤ）がどちらもよく知られた二重化方式である。
【０００３】
通信システムを動作させるべき電波スペクトルの可用性が制約因子となることが知られている。いわゆる４Ｇ、またはロング・ターム・エボリューション（Ｌｏｎｇ  Ｔｅｒｍ  Ｅｖｏｌｕｔｉｏｎ、ＬＴＥ）は既存の２Ｇおよび３Ｇ通信システムの後継である。実際に、ＬＴＥ準拠ネットワークは多くの国ですでに運用されている。歴史的理由のために、ＬＴＥ規格の３Ｇパートナーシップ・プロジェクト（３Ｇ  Ｐａｒｔｎｅｒｓｈｉｐ  Ｐｒｏｊｅｃｔ、３ＧＰＰ）Ｒｅｌ  １５において規定された、ＬＴＥ規格のための６０個のＬＴＥ動作周波数帯域が存在し、そのうち３５個はＦＤＤ動作を必要とする。さらなるモバイル・ブロードバンド・スペクトルが様々な地域における政府によって利用可能にされるため、より多くの帯域がＬＴＥ規格の後のリリースにおいて規定される見込みである。
【０００４】
ＦＤＤ無線動作では、一方はアップリンク送信のため、および一方はダウンリンク送信のための、異なる周波数における２つの別個の搬送波が存在する。ダウンリンク送信とアップリンク送信との間の絶縁は、通常、二信化フィルタ（ｄｉｐｌｅｘｉｎｇ  ｆｉｌｔｅｒ）（デュプレクサまたはダイプレクサ）と呼ばれる送信／受信フィルタによって達成される。これらのフィルタは、通例、送信および受信信号を分離し、これにより、送信信号が受信信号と干渉するのを防止するために、一方は受信周波数帯域を中心とし、他方は送信周波数帯域を中心とする、２つの高度に選択的なフィルタとして実施される。表面弾性波（Ｓｕｒｆａｃｅ  Ａｃｏｕｓｔｉｃ  Ｗａｖｅ、ＳＡＷ）フィルタなどの、音響共振器フィルタが、通例、二重化フィルタに必要とされる低い挿入損失および急峻な減衰をもたらすために用いられる。これらは個々に小型で安価であるものの、複数の周波数帯域をサポートするべき通信デバイスは、サポートされるべき周波数帯域ごとに１つの二信化フィルタ、および二重化フィルタがアンテナを共有することができるよう、周波数帯域の間の選択のためのさらなる無線周波数（Ｒａｄｉｏ  Ｆｒｅｑｕｅｎｃｙ、ＲＦ）スイッチングを必要とする。他の欠点は二信化フィルタの使用に関連付けられ、これは、二信化を目的とする代替解決策の探索を余儀なくさせる。
【０００５】
多くのデバイス製造業者は、単純に、動作周波数帯域の異なるセットをサポートする異なって構成されたデバイスを設計し、製造することによって、これらの欠点を回避している。それゆえ、製造業者は、異なる周波数帯域の組合せを有する異なる地域グループ内で各々動作可能である広範なデバイスを提供している。したがって、上述のフィルタの必要性を取り除くことは、「ワールド・フォン」の製造への障壁を取り払うことになり、その恩恵は規模の経済を携帯電話産業にもたらし、国際旅行者への不便を軽減するであろうことが理解され得る。
【０００６】
したがって、固定された調整済みのダイプレクサを、複数の、好ましくは全ての、周波数帯域をサポートすることができる柔軟なデバイスと置き換えることができる解決策への莫大な市場需要がある。
【０００７】
さらに、受信器を送信信号から十分に絶縁することができる好適な二重化方式を採用することによって、信号が共通周波数帯域内で同時に送信および受信されることができ、これは、双方向通信リンクにおいて、ＴＤＤおよびＦＤＤ二重化方式と比べて、最大２倍の大きさの容量をもたらすことができる。
【０００８】
代替的な二重化解決策は、いわゆるハイブリッド分岐またはハイブリッド回路を採用する。これは、送信線路内で順方向および逆方向の波向を分離することができる４ポート・ネットワークである。ハイブリッド分岐は、変成器、導波管（「マジックＴ」）、またはマイクロストリップ（「方向性結合器」）を用いることを含む、多数の仕方で作製され得る。ハイブリッド分岐はまた、現代の電子アナログ有線電話の場合のように、アクティブ回路を用いて作製され得る。
【０００９】
ハイブリッド分岐は、通例、第１の（送信）ポート、第２の（アンテナ）ポート、第３の（受信）ポート、および第４の（平衡）ポートを備える。理想的なハイブリッド分岐の動作においては、送信ポートにおいて入射する全電力がアンテナ・ポートと平衡ポートとの間で分割される。同様に、受信ポートに入射する全電力がアンテナ・ポートと平衡ポートとの間で分割される。したがって、デバイスは無損失であり、可逆であり、各々を中心として同様の特性を有する２つの対称面を有する。
【００１０】
理論上のハイブリッド分岐は、デュプレクサとして用いられるとき、その送信ポートに結合された送信器チェーンの電力増幅器、および受信ポートに結合された低雑音増幅器を有する。電力増幅器によって送信ポートにおいて印加された送信電力は、上述されたように、アンテナ・ポートと平衡ポートとの間で分割され、低雑音増幅器は絶縁されている、すなわち、アンテナ・ポートおよび平衡ポートにおける反射係数が平衡している限り、受信器内への送信信号の漏れは存在しない。
【００１１】
しかし、実際には、デュプレクサとしてのハイブリッド分岐の使用はいくつかの欠点にも悩まされる。第１に、アンテナのインピーダンス、およびそれゆえ、ひいては、アンテナ・ポートにおけるインピーダンスは、通例、時間領域および周波数領域の双方における変化を呈する。アンテナのインピーダンスは、例えば、アンテナの付近で動く物体のために、時間と共に変化し得、それゆえ、これらの変化に対応するために、平衡ポートにおけるインピーダンスをアンテナ・ポートにおけるインピーダンスに動的に適応させることが必要である。アンテナ・インピーダンスはまた、通例、周波数と共に変化し、それゆえ、関心のある特定の周波数において平衡を得るために、平衡ポートにおけるインピーダンスは適宜適応させられなければならず、良好な平衡は、十分に広いシステム帯域幅、例えば、ＬＴＥチャンネルのために必要とされる２０ＭＨｚにわたって達成することが難しくなり得る。さらに、絶縁帯域幅、すなわち、適切な絶縁が達成され得る帯域幅を増大させることは、可変平衡化インピーダンス回路の複雑さの増大を必要とし、これはデバイスのサイズおよびコストを増大させることになる。
【００１２】
第２に、他のカップリング機構が、ハイブリッド分岐の送信ポートから受信ポートへの送信信号のうちのいくらかの漏れを生じさせる。それゆえ、送信ポートからの受信ポートの絶縁が制約される。
【００１３】
デュプレクサとしてのハイブリッド分岐の使用に関連付けられる上述の欠点にもかかわらず、不利点を取り除く、または少なくとも軽減する試みがなされた。例えば、「Ｏｐｔｉｍｕｍ  Ｓｉｎｇｌｅ  Ａｎｔｅｎｎａ  Ｆｕｌｌ  Ｄｕｐｌｅｘ  Ｕｓｉｎｇ  Ｈｙｂｒｉｄ  Ｊｕｎｃｔｉｏｎｓ」（Ｌａｕｇｈｌｉｎ，  Ｂｅａｃｈ，  Ｍｏｒｒｉｓ  ａｎｄ  Ｈａｉｎｅ，  ＩＥＥＥ  Ｊｏｕｒｎａｌ  ｏｆ  Ｓｅｌｅｃｔｅｄ  Ａｒｅａｓ  Ｉｎ  Ｃｏｍｍｕｎｉｃａｔｉｏｎｓ，  Ｖｏｌ．３２，Ｎｏ．９，  Ｓｅｐｔｅｍｂｅｒ  ２０１４，１６５３〜１６６１頁）は、周波数と共に幅広く変化することができるインピーダンスを有し、（離調近接効果が存在しない限りにおいて）１０ｄＢ最小のオーダーのものになる可能性が高い反射損失を有する任意アンテナを考究している。これは、広範な最終製品内に組み込まれ得、場合によっては、未知の長さの送信線路を通じて接続され得るであろうトランシーバ回路のための実用的な現実である。以上において参照された文献では、いわゆるハイブリッド分岐の電気的平衡（Ｅｌｅｃｔｒｉｃａｌ  Ｂａｌａｎｃｅ、ＥＢ）が提案されている。
【００１４】
国際公開第２０１６／１２８０３２号は、主送信器チェーンおよび補助送信器チェーンを採用した信号絶縁装置を開示している。主送信器チェーンは、ハイブリッド回路の入力ノードに動作可能に結合された出力ノードを有し、ハイブリッド回路は二重通信のために用いられる。ハイブリッド回路の出力ノードは、とりわけ、ハイブリッド回路のアンテナノードに動作可能に結合されたアンテナを介して受信されるＲＦ通信信号を受信するための受信器チェーンの入力に動作可能に結合されている。補助送信器チェーンは、主送信器チェーン内のタッピング信号端子に動作可能に結合された入力ノードを含み、主送信信号が、アンテナを介したＲＦ出力信号としての送信に備えるよう処理されている際に、主送信器チェーンを通って伝搬する主送信信号をタッピングするように構成されている。補助送信器チェーンは、タッピングされた主送信信号を、それが主送信器チェーンによって主送信信号と同様の仕方で処理される前に変更するために設定され得る係数を有する適応フィルタユニットを含む。主送信信号の適応されたバージョンは、受信器チェーンの受信帯域内の、入力ノードからハイブリッド回路の出力ノードへ漏れている信号成分を除去するためにハイブリッド回路の平衡ノードに適用される除去信号をもたらす。
【００１５】
この点について、主送信器チェーンおよび補助送信器チェーンから受信器チェーンへ通信される信号を考慮すると、信号を主送信器から受信器へ、および補助送信器から受信器へ結合する信号カップリング機構、例えば、電気および電磁結合が存在する。この結合は、どちらも適応フィルタのための係数を決定するための推定を必要とする、自己干渉伝達関数および除去伝達関数によってそれぞれ定量化されることができる。自己干渉伝達関数および除去伝達関数を推定するために、複数の副搬送波を各々含む、それぞれのパイロット信号を発生することが知られており、副搬送波は周波数が分離されている。パイロット信号は、自己干渉伝達関数および除去伝達関数を包括的な仕方で測定することが可能になるために、信号絶縁装置が動作する通信システムの副搬送波を各々含む。さらに、それぞれのパイロット信号は、同じ副搬送波に関する適応フィルタのフィルタ係数を決定することが可能になるために、同じ搬送波信号を含む。したがって、受信器チェーンを用いて送信器チェーンによって発生されたパイロット信号を測定し、受信器チェーンを用いて補助送信器チェーンによって発生されたパイロット信号を測定するためには、パイロット信号が同じ副搬送波を各々含むため、それぞれのパイロット信号を時間的に別個に送信することが必要である。他の仕方で行うことは、２つのパイロット信号が互いに干渉する結果をもたらすことになる。
【発明の概要】
【発明が解決しようとする課題】
【００１６】
上述のアクティブ除去技法、特に、現在、自己干渉伝達関数が推定される間には補助送信器チェーンが非活動状態になること、および除去伝達関数に関してはその逆のことを必要とする、適応フィルタユニットの構成を採用した通信デバイスの動作速度を最適化することが望まれる。
【課題を解決するための手段】
【００１７】
本発明の第１の態様によれば、送信および受信される信号の二重動作を制御するためのアクティブ干渉除去装置であって、装置が、受信信号入力ノードを含む受信器チェーンと、送信器チェーンタップノードおよび送信器出力ノードを含む送信器チェーンと、送信器チェーンタップノードに動作可能に結合された補助チェーン入力ノードを有する補助送信器チェーンであって、補助送信器チェーンが、適応フィルタユニットおよび除去信号出力を含み、除去信号出力が、受信器チェーンの受信信号入力ノードに動作可能に結合されている、補助送信器チェーンと、補間プロセッサと、を備え、適応フィルタユニットが係数処理ユニットおよび適応フィルタを含み、係数処理ユニットが受信器チェーンおよび適応フィルタに動作可能に結合され、補間プロセッサが、係数処理ユニットと協働するように構成され、送信器チェーンが、使用時に、複数の第1の周波数分離信号を含む第１の波形を発生するように構成され、送信器チェーンと実質的に同時に、補助送信器チェーンが、複数の第２の周波数分離信号を含む第２の波形を発生し、第２の波形を受信信号入力ノードにおいて適用するように構成され、受信器チェーンが、送信器チェーンの出力ノードから受信器チェーンの受信信号入力ノードに結合された波形、および補助送信器チェーンからの第２の波形を含む合成波形を受信するように構成され、第１の波形が、第２の波形の複数の第２の周波数分離信号と周波数が一致する適応フィルタのイコライザ係数の決定のために必要とされる信号を全く含まない、アクティブ干渉除去装置が提供される。
【００１８】
送信器チェーンの出力ノードから受信器チェーンの受信信号入力ノードに結合される波形は電磁結合され得る。
【００１９】
第１の波形は複数の第１の副搬送波に対応し得、第２の波形は複数の第２の副搬送波に対応し得、第１および複数の第２の副搬送波は異なり得る。
【００２０】
第１の波形には、第２の波形の複数の第２の周波数分離信号によって占有される周波数における適応フィルタのイコライザ係数の決定のために必要とされる信号が存在し得ない。
【００２１】
第２の波形には、第１の波形の複数の第1の周波数分離信号によって占有される周波数における適応フィルタのイコライザ係数の決定のために必要とされる信号が存在し得ない。
【００２２】
複数の第1の周波数分離信号および複数の第２の周波数分離信号は周波数領域において交互配置され得る。
【００２３】
適応フィルタユニットは、送信器チェーンおよび受信器チェーン内およびそれらの間で第１の波形によって経験される変化をモデル化する周波数領域自己干渉伝達関数の係数を推定するように構成され得、適応フィルタは、補助送信器チェーンおよび受信器チェーン内およびそれらの間で第２の波形によって経験される変化をモデル化する周波数領域除去伝達関数の係数を推定するように構成され得、補間プロセッサは、第１の波形に存在しない周波数に関する周波数領域自己干渉伝達関数の係数、および第２の波形に存在しない周波数に関する周波数領域除去伝達関数の係数を推定するように構成され得る。
【００２４】
第１の波形に存在しない周波数および第２の波形に存在しない周波数は意図的に存在しなくてもよい。
【００２５】
第１の波形は、一連の送信波形から選択されたスペクトル的に不連続な送信波形であり得る。
【００２６】
自己干渉伝達関数は、送信器チェーンおよび受信器チェーン内およびそれらの間で第１の波形によって経験される変化をモデル化し得、除去伝達関数は、補助送信器チェーンおよび受信器チェーン内およびそれらの間で第２の波形によって経験される変化をモデル化し得る。
【００２７】
自己干渉伝達関数は、送信器チェーン、受信器チェーンによって遂行される第１の波形の処理、および送信器チェーンから受信器チェーンへの第１の波形の結合をモデル化し得、除去伝達関数は、送信器チェーン、受信器チェーン、および相互接続回路によって遂行される第２の波形の処理をモデル化し得る。
【００２８】
補間プロセッサは、それぞれ、第１の波形内に存在する隣接する周波数の間にある周波数に関する周波数領域自己干渉伝達関数の係数を推定するように構成され得る。
【００２９】
それぞれ、第１の波形内に存在する隣接する周波数の間にある周波数は、それぞれ、第１の波形内の隣接する周波数分離信号の間にある周波数であり得る。
【００３０】
補間プロセッサは、それぞれ、第２の波形内に存在する隣接する周波数の間にある周波数に関する周波数領域除去伝達関数の係数を推定するように構成され得る。
【００３１】
それぞれ、第２の波形内に存在する隣接する周波数の間にある周波数は、それぞれ、第２の波形内の隣接する周波数分離信号の間にある周波数であり得る。
【００３２】
自己干渉伝達関数は、送信器チェーンおよび受信器チェーンのベースバンドおよび無線周波数処理段階を特徴付け得、除去伝達関数は、補助送信器チェーンおよび受信器チェーンのベースバンドおよび無線周波数処理段階を特徴付け得る。
【００３３】
係数処理ユニットは、推定された周波数領域自己干渉伝達関数および推定された周波数領域除去伝達関数を補間プロセッサから受信するように構成され得、係数処理ユニットは、推定された周波数領域自己干渉伝達関数および推定された周波数領域除去伝達関数を用いて適応フィルタのためのイコライザ係数を算出するように構成され得る。
【００３４】
係数処理ユニットは、推定された周波数領域除去伝達関数による推定された周波数領域自己干渉伝達関数の負号除算によって適応フィルタのフィルタ係数を算出するように構成され得る。
【００３５】
係数処理ユニットは、使用時に、算出されたイコライザ・フィルタ係数を用いて適応フィルタの係数を変更するように構成され得る。
【００３６】
イコライザ・フィルタ係数Ξ（ω）またはΞ（ｋ）は、次式を用いて算出され得る：
【数１】
2021525013.tif 000003
ここでΔは、推定された第１の周波数領域伝達関数であり得、Θは、推定された第２の周波数領域伝達関数であり得、ωは周波数であり得、ｋは副搬送波番号であり得る。
【００３７】
適応フィルタユニットは、送信器チェーン内で発生された送信信号に基づくタッピングされた一時的信号を変更するように構成され得、これにより、変更されたタッピングされた一時的信号は、補助送信器チェーンによって完全に処理されたときに、送信器出力ノードから受信信号入力ノードに結合された送信信号を除去し得る受信器チェーンの受信信号入力ノードにおいて受信される除去信号をもたらし得る。
【００３８】
補助送信器チェーンは適応フィルタユニットおよび送信器チェーン処理段階ユニットを含み得、補助送信器チェーンの補助チェーン入力ノードは適応フィルタユニットに動作可能に結合され得、送信器チェーン処理段階ユニットは、送信器チェーンのための所望の変調方式に従って、タッピングされた一時的信号の処理を完了するように構成され得る。
【００３９】
イコライザ係数を用いて構成された適応フィルタは、タッピングされた一時的信号を、補助送信器チェーンが、受信器チェーンの受信信号入力ノードにおいて、送信器チェーンの送信器出力ノードから受信器チェーンの受信信号入力ノードに結合された受信された送信信号の逆位相推定を提供し得るよう、変更するように構成され得る。
【００４０】
除去信号は、関心のある周波数範囲にわたって受信信号入力ノードに結合された送信信号に相殺的に干渉するように構成され得る。
【００４１】
本発明の第２の態様によれば、以上において本発明の第１の態様に関して説明されたアクティブ干渉除去装置を備える信号絶縁制御装置が提供され、装置は、入力ノード、出力ノード、アンテナに結合するためのアンテナノード、および平衡ノードを含むハイブリッド回路をさらに備え得、受信信号入力ノードはハイブリッド回路の出力ノードに動作可能に結合され、送信器チェーン出力ノードはハイブリッド回路の入力ノードに動作可能に結合され、送信器チェーンから受信器チェーンに結合された波形はハイブリッド回路によってその入力ノードからその出力ノードへ漏洩させられる。
【００４２】
装置は、受信器チェーンの出力に動作可能に結合された入力を有し得る平衡化インピーダンスコントローラと、平衡化インピーダンスコントローラの出力に動作可能に結合された制御入力を有し得る可変インピーダンスとをさらに備え得、可変インピーダンスはまた、ハイブリッド回路の平衡ノードに動作可能に結合され得る。
【００４３】
本発明の第３の態様によれば、以上において本発明の第１の態様に関して説明されたアクティブ干渉除去装置を備える信号絶縁制御装置が提供され、装置は、送信器出力ノードに動作可能に結合された送信アンテナと、受信信号入力ノードに動作可能に結合された受信アンテナと、をさらに備え得る。
【００４４】
本発明の第４の態様によれば、以上において本発明の第２の態様に関して説明された信号絶縁制御装置を備える二重化装置が提供される。
【００４５】
本発明の第５の態様によれば、以上において本発明の第１の態様に関して説明されたアクティブ干渉除去装置、以上において本発明の第２または第３の態様に関して説明された信号絶縁制御装置、あるいは以上において本発明の第４の態様に関して説明されたデュプレクサ装置を備える無線トランシーバ装置が提供される。
【００４６】
本発明の第６の態様によれば、以上において本発明の第１の態様に関して説明されたアクティブ干渉除去装置、以上において本発明の第２または第３の態様に関して説明された信号絶縁制御装置、以上において本発明の第４の態様に関して説明されたデュプレクサ装置、あるいは以上において本発明の第５の態様に関して説明されたトランシーバ装置を備える通信デバイスが提供される。
【００４７】
本発明の第７の態様によれば、信号の二重化通信のために干渉をアクティブ的に除去する方法であって、本方法が、受信器チェーンを提供することと、送信器チェーンを提供することと、適応フィルタユニットを含む補助送信器チェーンを提供することと、送信器チェーンが、複数の第1の周波数分離信号を含む第１の波形を送信することと、補助送信器チェーンが、複数の第２の周波数分離信号を含む第２の波形を実質的に同時に発生することと、第２の波形を受信器チェーンの入力において適用することと、送信器チェーンからの第１の波形を受信器チェーンに結合することと、受信器チェーンが、送信器チェーンから受信器チェーンに結合された波形、および補助送信器チェーンからの第２の波形を含む合成波形を受信することと、第１の波形が、第２の波形の複数の第２の周波数分離信号と周波数が一致する適応フィルタのイコライザ係数の決定のために必要とされる信号を全く含まないことと、を含む方法が提供される。
【００４８】
本発明の第８の態様によれば、以上において本発明の第７の態様に関して説明された方法を実行するように構成されたコンピュータ・プログラム・コード要素が提供される。コンピュータ・プログラム・コード要素はコンピュータ可読媒体上で具現化され得る。
【００４９】
それゆえ、補助送信器を通して、時間的に分離した波形を送信する目的のために送信器を通したデータの送信を中止することを必要とすることなく、およびスペクトル的に連続した波形が送信されることを必要とすることなく、通信システムの全てまたは実質的に全ての必要な周波数に関するフィルタ係数を、波形が連続的に送信される場合よりも短時間で算出する能力を有する装置、デバイス、および方法を提供することが可能であり、これは、通信ネットワーク内におけるデバイスからの送信を制約する媒体アクセス制約の下では可能になり得ない。
【００５０】
次に、添付の図面を参照して本発明の少なくとも１つの実施形態が例としてのみ説明される。
【図面の簡単な説明】
【００５１】
【図１】本発明の一実施形態を構成する二重化装置を備える通信デバイスの概略図である。
【図２】ハイブリッド回路を採用し、本発明の別の実施形態を構成するトランシーバ装置の概略図である。
【図３】図２の装置の伝達関数の概略図である。
【図４】別個の送信および受信アンテナを採用し、本発明のさらなる実施形態を構成する別のトランシーバ装置の概略図である。
【図５】図４の装置の伝達関数の概略図である。
【図６】本発明のさらに別の実施形態を構成するフィルタ係数を決定する方法のフロー図である。
【図７】図６の方法に従って発生され、処理される波形の概略図である。
【図８】図７のものとは異なり、本発明のさらなる実施形態を構成する、発生され、処理される波形の概略図である。
【発明を実施するための形態】
【００５２】
以下の説明全体を通して、同一の参照符号が、同様の部分を識別するために用いられることになる。本明細書における「ポート」への言及は、「ノード」にも言及することが理解されるべきであり、その逆も同じである。
【００５３】
図１を参照すると、ＬＴＥ通信システム内で動作する、通信デバイスの一例を構成する、ユーザ機器（ｕｓｅｒ  ｅｑｕｉｐｍｅｎｔ、ＵＥ）デバイス１００が処理リソース１０２を備え、処理リソース１０２は、本例では、セルラー通信端末のチップセットである。処理リソース１０２は、送信器回路１０４および受信器回路１０６を含む無線トランシーバ装置に結合され、送信器および受信器回路１０４、１０６は両方とも二重化装置１０８に結合されている。二重化装置１０８はアンテナ１１０に結合されている。
【００５４】
ＵＥデバイス１００はまた、処理リソース１０２に各々結合された、揮発性メモリ、例えば、ＲＡＭ１１２、および不揮発性メモリ、例えば、ＲＯＭ１１４を有する。処理リソース１０２はまた、マイクロフォン１１６、スピーカ・ユニット１１８、キーパッド１２０、およびディスプレイ１２２に結合されている。当業者は、上述されたＵＥデバイス１００のアーキテクチャが他の要素を備えることを理解するはずであるが、このような追加の要素は、説明の簡潔性および明瞭性を保つために本明細書において説明されなかった。
【００５５】
次に図２を参照すると、二重化装置の部分であることができる、信号絶縁制御装置が、直列−並列変換器ユニット２０２に動作可能に結合された変調器ユニット２０１を有する送信器回路１０４の主送信器チェーン２００を含む。直列−並列変換器ユニット２０２は、第１の並列出力信号を提供するための複数の出力を含み、複数の出力は副搬送波マッパ・ユニット２０３の複数の入力に動作可能に結合されている。副搬送波マッパ２０３は、第２の並列出力信号を提供するための複数の出力を含み、第２の並列出力信号は、例えば、媒体アクセス制御方式に従って、入力シンボルを副搬送波周波数に対応付ける、その入力における並列信号の対応付けである。副搬送波マッパ２０３は並列入力よりも多数の並列出力を有することができ、対応付けられていない並列出力信号は、特定の副搬送波周波数における信号が存在しないよう、０に設定され、これにより、媒体アクセス制御方式によって必要とされ得るとおりに、スペクトル的に不連続な波形の送信を促進する。副搬送波マッパ・ユニット２０３の並列出力は、第１の並列−直列変換器ユニット２０６の対応する複数の入力に動作可能にそれぞれ結合された複数の出力を有する第１の逆高速フーリエ変換（Ｉｎｖｅｒｓｅ  Ｆａｓｔ  Ｆｏｕｒｉｅｒ  Ｔｒａｎｓｆｅｒ、ＩＦＦＴ）ユニット２０４に動作可能に結合され、第１の並列−直列変換器ユニット２０６の出力は第１のサイクリック・プレフィックス付加ユニット２０８に動作可能に結合されている。
【００５６】
第１のサイクリック・プレフィックス付加ユニット２０８の出力は第１のデジタル−アナログ変換器（ＤＡＣ）ユニット２１０に動作可能に結合され、第１のＤＡＣユニット２１０は主送信器無線ユニット２１２に動作可能に結合されている。送信器出力ノードを構成する、主送信器無線ユニット２１２の出力ノードはハイブリッド回路２１６の入力ノード２１４に動作可能に結合されている。ハイブリッド回路２１６のアンテナノード２１８はアンテナ１１０に動作可能に結合されている。ハイブリッド回路２１６の平衡化ノード２２０は可変インピーダンス２２２に動作可能に結合され、ハイブリッド回路２１６の出力ノード２２４は受信信号入力ノード２２６に動作可能に結合され、受信信号入力ノード２２６は、本例では、第１の入力および第２の入力を有する信号加算ユニット２２６であり、第１の入力はハイブリッド回路２１６の出力ノード２２４に動作可能に結合されている。
【００５７】
送信器回路１０４の補助送信器チェーン２２７への入力信号を提供するために、観念上のタッピング点２２８が副搬送波マッパ・ユニット２０３と第１のＩＦＦＴユニット２０４との間に設けられており、補助送信器チェーン２２７は送信器チェーン処理段階ユニットを含む。それゆえ、副搬送波マッパ・ユニット２０３の複数の出力は第１のスイッチング・ユニット２２９の複数の入力にも動作可能に結合され、第１のスイッチング・ユニット２２９の複数の第1の出力は第２の波形発生器２３０の複数の入力に動作可能に結合されている。副搬送波マッパ・ユニット２０３の複数の出力は係数プロセッサ２５２にも動作可能に結合されている。第１のスイッチング・ユニット２２９の複数の第２の出力は、適応フィルタユニット２３１、例えば、第２のスイッチング・ユニット２３２の複数の第1の入力に動作可能に結合された複数の出力を有する周波数領域イコライザ（Ｆｒｅｑｕｅｎｃｙ  Ｄｏｍａｉｎ  Ｅｑｕａｌｉｓｅｒ、ＦＤＥ）の複数の第1の入力に動作可能に結合されている。第２の波形発生器２３０の複数の出力は第２のスイッチング・ユニット２３２の複数の第２の入力に結合されている。第２の波形発生器２３０の複数の出力は係数プロセッサ２５２にも結合されている。第２のスイッチング・ユニット２３２の複数の出力は第２のＩＦＦＴユニット２３３の複数の入力に結合されている。第２のＩＦＦＴユニット２３３の複数の出力は第２の並列−直列変換器ユニット２３４の複数の入力に動作可能に結合され、第２の並列−直列変換器ユニット２３４は第２のサイクリック・プレフィックス付加ユニット２３６に動作可能に結合されている。第２のサイクリック・プレフィックス付加ユニット２３６の出力は第２のＤＡＣユニット２３８に動作可能に結合され、第２のＤＡＣユニット２３８は補助送信器無線ユニット２４０に動作可能に結合されている。補助送信器無線ユニット２４０の出力ノードは、受信信号入力ノード２２６の、上述された、第２の入力に動作可能に結合されている。第２のＩＦＦＴユニット２３３、第２の並列−直列変換器ユニット２３４、第２のサイクリック・プレフィックス付加ユニット２３６、第２のＤＡＣユニット２３８、および／または補助送信器無線ユニット２４０のうちの１つまたは複数は、本例では、主送信器チェーン２００によってサポートされた変調方式である、所望の変調方式に従って波形の処理を完了するように構成された補助送信器チェーン処理段階ユニットを構成する。無論、本例の補助送信器チェーン２２７は、説明の簡潔性のために簡略化された仕方で説明され、当業者は、送信器チェーン処理段階ユニットが、主送信器チェーン２００内に存在する送信信号の発生をサポートする他の機能処理段階を含むことができることを理解するであろう。
【００５８】
受信器回路１０６の受信器チェーン２４１は受信信号入力ノード２２６を含み、受信信号入力ノード２２６は受信器無線ユニット２４２の入力に動作可能に結合されている。受信器無線ユニット２４２の出力はアナログ−デジタル変換器（Ａｎａｌｏｇｕｅ−ｔｏ−Ｄｉｇｉｔａｌ  Ｃｏｎｖｅｒｔｅｒ、ＡＤＣ）ユニット２４４の入力に動作可能に結合され、ＡＤＣユニット２４４の出力はサイクリック・プレフィックス除去ユニット２４６の入力に動作可能に結合されている。サイクリック・プレフィックス除去ユニット２４６の出力は、高速フーリエ変換（Ｆａｓｔ  Ｆｏｕｒｉｅｒ  Ｔｒａｎｓｆｏｒｍ、ＦＦＴ）ユニット２５０の複数の入力にそれぞれ動作可能に結合された複数の出力を有する第２の直列−並列変換器ユニット２４８の入力に動作可能に結合されている。ＦＦＴユニット２５０の複数の出力は、それぞれ、ＦＤＥ係数プロセッサ２５２の複数の第1の入力に、およびそれぞれ、無線チャンネルＦＤＥユニット２５４の複数の入力に動作可能に結合されている。ＦＤＥ係数プロセッサ２５２は補間プロセッサ２５５を含む。しかし、当業者は、補間プロセッサ２５５が、実施の便益に従って、ＦＤＥ係数プロセッサ２５２に対して別の仕方で配置され得るであろうことを理解するであろう。例えば、補間プロセッサ２５５はＦＤＥ係数プロセッサ２５２に動作可能に結合されていてもよい。ＦＤＥ係数プロセッサ２５２の複数の出力は、それぞれ、適応フィルタユニット２３１の複数の第２の入力に動作可能に結合されている。ＦＤＥ係数プロセッサ２５２の複数の第２の入力は第１のスイッチング・ユニット２２９の複数の第２の出力に動作可能に結合されている。
【００５９】
無線チャンネルＦＤＥユニット２５４の複数の出力は、それぞれ、副搬送波デマッパ２５６に動作可能に結合され、副搬送波デマッパ２５６からの複数の出力は、第３の並列−直列変換器ユニット２５７に動作可能に結合され、第３の並列−直列変換器ユニット２５７の出力は復調器ユニット２５８に動作可能に結合されている。復調器ユニット２５８の出力は平衡化インピーダンス制御ユニット２６０の入力に動作可能に結合され、平衡化インピーダンス制御ユニット２６０の制御出力は可変インピーダンス２２２の制御入力に動作可能に結合されている。
【００６０】
本例（および後続の例）では、主送信器チェーン２００、補助送信器チェーン２２７、および受信器チェーン２４１が、共に、アクティブ干渉除去装置を構成することを理解されたい。
【００６１】
図３を参照すると、主送信器チェーン２００、ハイブリッド回路２１６、受信器チェーン２４１を通過する、およびそれらの間の経路をたどる波形によって経験される振幅および位相変化をモデル化するために、自己干渉伝達関数、例えば、周波数領域自己干渉伝達関数Δ（ω）が採用され得る。同様に、補助送信器チェーン２２７および受信器チェーン２４１を通過する、およびそれらの間の経路をたどる波形によって経験される振幅および位相変化をモデル化するために、除去伝達関数、例えば、周波数領域除去伝達関数Θ（ω）が採用され得る。
【００６２】
自己干渉伝達関数および除去伝達関数を定量化することによって、例えば、入力ノードからハイブリッド回路２１６の出力ノードに結合された、例えば、電磁結合された波形成分の除去を達成するために適応フィルタ２３１によって実施され得る、イコライザ関数Ξ（ω）を決定することが可能である。
【００６３】
この点について、自己干渉伝達関数および除去伝達関数が推定された場合には、主送信器チェーン２００内で形成された送信波形ＳＴＸに関する、結合された波形成分の除去のために、以下の式を用いることが可能である：
０＝ＳＴＸ（ω）Δ（ω）＋Ξ（ω）ＳＴＸ（ω）Θ（ω）      （１）
【００６４】
この等式が（整理することによって）解かれ、以下の式を得ることができる：
【数２】
2021525013.tif 000004
【００６５】
自己干渉伝達関数Δ（ω）および除去伝達関数Θ（ω）が既知である場合には、イコライザ関数Ξ（ω）が算出され得る。
【００６６】
別の例（図４）では、図２の信号絶縁制御装置はハイブリッド回路２１６を採用せず、代わりに、アクティブ干渉除去装置は、主送信器無線ユニット２１２の出力ノードに動作可能に結合された第１のアンテナ２７０、および受信信号入力ノードを構成する、信号加算ユニット２２６の第１の入力に動作可能に結合された第２のアンテナ２７２を補われている。
【００６７】
本例では、図５を参照すると、主送信器チェーン２００を通過する経路をたどり、第１のアンテナ２７０から第２のアンテナ２７２、および受信器チェーン２４１へ伝搬する波形によって経験される振幅および位相変化をモデル化するために、自己干渉伝達関数Δ（ω）が採用され得る。この点において、自己干渉伝達関数は主送信器チェーンおよび受信器チェーンのベースバンドおよび無線周波数処理段階を特徴付けることもできる。同様に、上述されたように、補助送信器チェーン２２７、受信器チェーン２４１、および相互接続回路機構を通過する経路をたどる波形によって経験される振幅および位相変化をモデル化するために、除去伝達関数Θ（ω）が採用され得る。この点において、除去伝達関数は補助送信器チェーンおよび受信器チェーンのベースバンドおよび無線周波数処理段階を特徴付けることもできる。
【００６８】
したがって、上式（等式（１））は、第１のアンテナ２７０から第２のアンテナ２７２に結合された波形を除去するために適用される。それゆえ、イコライザ関数Ξ（ω）を、図４の装置の適応フィルタユニット２３１による適用のために算出するために、等式（２）が採用され得る。
【００６９】
動作時（図６および図７）、アクティブ干渉除去装置が適応フィルタ２３１の係数を決定する必要があるときに、第１のスイッチング・ユニット２２９は、観念上のタッピング点２２８、例えば、直列−並列変換器ユニット２０２の複数の出力を第２の波形発生器２３０の複数の入力に結合するよう指示される。第２のスイッチング・ユニット２３２は、第２の波形発生器２３０の複数の出力を第２のＩＦＦＴユニット２３３の複数の入力に結合するよう指示される。その後、主送信器チェーン２００は、変調器ユニット２０１を介して、直列−並列変換器２０２へ出力される第１の変調信号を発生する。第１の変調信号は直列−並列変換器２０２から副搬送波マッパ２０３へ並列に出力され、副搬送波マッパ２０３は、それぞれの複数の周波数点４０３における複数の周波数分離信号４０２を含む第１の波形４００（図７）の周波数領域表現を発生する（ステップ３００）ために、変調シンボルを副搬送波周波数に対応付ける。本例では、第１の変調信号および対応する副搬送波対応付けから発生される第１の波形４００は、適応フィルタユニット２３１のためのイコライザ係数を算出することのみを目的として発生される。しかし、他の実施形態では、データを送信することを目的として発生される、すなわち、ペイロード・データに従って変調され、副搬送波対応付けが媒体アクセス制御方式に従って遂行された信号から発生される波形が代わりに用いられてもよい。並列形式の第１の波形４００は、第１のＩＦＦＴユニット２０４による第１の波形４００の異なる信号への逆フーリエ変換の適用、ならびにそれに続く、第１の直列−並列変換器ユニット２０６による直列形式への再変換、および送信に備えた、本例では、サイクリック・プレフィックス付加ユニット２０８によるサイクリック・プレフィックスの付加を含む、主送信器チェーン２００の処理段階によって引き続き処理される。この点について、第１の波形４００は、次に、図２の例に関しては、ハイブリッド回路２１６の入力ノード２１４への適用に先立って、送信無線ユニット２１２によってアップコンバートされ、増幅される前に、第１のＡＤＣ２１０によってアナログ領域に変換される。第１の波形４００のエネルギーの一部はアンテナ１１０に結合され、送信信号として放射される（ステップ３０２）。しかし、第１の波形４００のエネルギーの一部はハイブリッド回路２１６の出力ノードに不必要に結合される。通常の状況下では、第１の波形４００に基づくこの結合された波形は、アンテナ１１０によって正当に受信され、ハイブリッド回路２１６の出力端子２２４に受信器チェーン２４１による処理のために結合された信号に干渉するであろう、干渉信号を構成するであろう。
【００７０】
無論、図４の例の文脈においては、ハイブリッド回路２１６は採用されておらず、代わりに、第１の波形４００のエネルギーは第１のアンテナ２７０に、上述された送信信号としての放射のために結合される。しかし、送信信号のエネルギーの一部分は第２のアンテナ２７２によって不必要に受信される、またはそれに結合される。通常の状況下では、第１の波形４００に基づくこの結合された波形は、第２のアンテナ２７２によって受信された求められる受信信号に干渉するであろう、干渉信号を構成するであろう。
【００７１】
しかし、本例では、変調器２０１、直列−並列変換器２０２、および副搬送波マッパ２０３は、交互の周波数点４０３における信号を含むよう第１の波形４００を発生するように適切にプログラムされる。それゆえ、第１の波形４００は、複数の第1の周波数点４０３の周りに配置された複数の第1の周波数分離信号４０２を含み、複数の第1の周波数点４０３は、対応する信号が存在しない交互の周波数点４０４によって分離されている。
【００７２】
補助送信器チェーン２２７内において、第２の波形発生器２３０は、第１のスイッチング・ユニット２２９を介して第１の波形発生器２０１によって発生された第１の波形４００を受信する（ステップ３０１）。次に、第２の波形発生器２３０は、信号によって占有されていない第１の波形４００内の周波数点、すなわち、上述された対応する信号が存在しない第１の波形４００の複数の第1の交互の周波数点４０４を決定するために、第１の波形４００を分析する。次に、第２の波形発生器２３０（図２）は、占有されていない、複数の第1の交互の周波数点４０４に対応する第２のそれぞれの複数の周波数点４１０の周りに位置する複数の第２の周波数分離信号４０８を含むよう、第２の波形４０６を発生する（ステップ３０４）。第２の波形４０６の交互の周波数点４１２には、第１の波形４００内の複数の第1の周波数点４０３において存在する信号が存在しない。その後、主送信器チェーン２００に関する場合のように、第２の波形４０６の周波数分離信号を表現する並列信号は、サイクリック・プレフィックスが、複数の周波数分離信号を含む直列の第２の波形に付加される前に、第２の並列−直列変換器２３４によって並列形式から直列形式に変換される。
【００７３】
本例では、第２の波形４０６は、信号が配置される第２の波形４０６の交互の周波数点が、信号が送信のために配置される第１の波形４００の周波数点とは異なるように発生される。したがって、第２の波形４０６が補助送信器チェーン２２７の出力から送信される（ステップ３０６）。それゆえ、第１の送信無線ユニット２１２の出力ノードにおいて、適応フィルタ２３１の係数を決定するために、第１の波形４００は、第２の波形４０６と周波数が一致する信号を全く含まない。
【００７４】
本例では、第１の波形４００には、第２の波形４０６の複数の第２の周波数分離信号４０８によって占有される周波数における適応フィルタ２３１のイコライザ係数の決定のために必要とされる信号が存在しない、例えば、意図的に存在しない。この点について、第２の波形４０６には、第１の波形４００の複数の第1の周波数分離信号４０２によって占有される周波数における適応フィルタ２３１のイコライザ係数の決定のために必要とされる信号が存在しない、例えば、意図的に存在しない。例えば、複数の第1の周波数分離信号４０２および複数の第２の周波数分離信号４０８は周波数領域において交互配置されている。このような交互配置は必ずしも交互で規則的でなくてもよいことを理解されたい。
【００７５】
この点について、および別の実施形態では、第１の波形４００は、ペイロード・データおよびシグナリング、ならびに通信ネットワークの媒体アクセス制御プロトコルに従ってデータを送信することを目的として発生される波形である。本例では、波形４００は、通常動作時に通信デバイスから連続的に送信される一連の送信波形から選択され、これにより、選択された波形４００は、信号が周波数点において存在しない、スペクトル的に不連続な波形となる。これは、通常動作の間にＵＥデバイス１００から周期的に送られ得るシグナリングまたはリファレンス信号を包含する波形を選択することによって達成され得る。例えば、ＬＴＥ通信システムでは、これは、例えば、サウンディングリファレンス信号（Ｓｏｕｎｄｉｎｇ  Ｒｅｆｅｒｅｎｃｅ  Ｓｉｇｎａｌ、ＳＲＳ）を包含する送信波形を用いて達成され得る。第１の波形４００内の信号の帯域幅および間隔は、選択された送信波形内に存在する送信信号によって決定される。選択された波形内の信号の帯域幅および間隔は、通信ネットワークにおける動作の間に、例えば、多重アクセス制御プロトコル、または周波数領域スケジューリング・プロトコル、ならびに／あるいはシグナリング・プロトコルに従って副搬送波マッパ２０３によって適用される副搬送波対応付けによって決定され得る。それゆえ、第１および第２の波形４００、４０６の交互配置が周波数領域における繰り返しの規則的パターンに従う可能性は低い。それにもかかわらず、当業者は、この場合には、重畳波形４１４は、依然として上述されたように分離され得、それぞれの一貫した周波数間隔で生じない複数の第1の周波数点を有しながらも、部分的自己干渉伝達関数推定、および、それぞれの一貫した周波数間隔で生じない複数の第２の周波数点を有しながらも、部分的除去伝達関数推定の推定を可能にすることを認識するであろう。当業者はまた、複数の第1の周波数点４０３の周波数値にかかわらず、適切な補間技法３１４、３１６が自己干渉伝達関数４１６の部分推定に適用され得、複数の第２の周波数点４１０の周波数値にかかわらず、適切な補間技法が除去伝達関数４１８の部分推定に適用され得ることを認識するであろう。
【００７６】
いずれにせよ、どちらの実施形態に関しても、受信信号入力ノード２２６において、第１の波形４００および第２の波形４０６が受信され（ステップ３０８）、合成波形を構成する、第１および第２の波形４００、４０６の両方の重畳４１４が受信信号入力ノード２２６の出力において出力される。次に、波形４１４の重畳は受信器チェーン２４１によって処理される。この点において、受信器無線ユニット２４２が波形４１４の重畳をベースバンドにダウン・コンバートし、受信されたベースバンド信号はＡＤＣユニット２４４によってデジタル領域に変換される。その後、サイクリック・プレフィックス除去ユニット２４６がサイクリック・プレフィックスを、ＡＤＣユニット２４４によって出力されたデジタル信号から除去する。次に、第２の直列−並列変換器ユニット２４８が、サイクリック・プレフィックスを取り除かれたデジタル信号を複数の並列デジタル受信信号に変換し、各出力は（第１および第２の波形４００、４０６から導出された）重畳波形４１４の信号の周波数に対応する。
【００７７】
直列−並列変換器ユニット２４８の複数の出力における信号は、信号を時間領域から周波数領域へ変換するために重畳波形４１４の複数の信号に対してフーリエ変換を遂行する、ＦＦＴユニット２５０の複数の入力にそれぞれ適用される。ＦＦＴユニット２５０の出力は、第１および第２の波形４００、４０６の複数の信号を分析する、係数プロセッサ・ユニット２５２によって受信される。
【００７８】
具体的には、係数プロセッサ・ユニット２５２は、その入力における、副搬送波マッパ２０３および波形発生器２３０の出力によってそれぞれ提供されたとおりの、送信波形４００、４０６を観察し、複数の第1の周波数点４０３および複数の第２の周波数点４１０を決定する。次に、係数プロセッサ・ユニット２５２は、第１の波形４００の複数の第1の周波数分離信号４０２が重畳波形４１４の複数の第1の周波数点４０３に配置され、第２の波形４０６の複数の第２の周波数分離信号４０８が重畳波形４１４の複数の第２の周波数点４１０に配置されていることの知識を用いて、実施の基本設定に依存して、交互の周波数点の第１のセットおよび交互の周波数点の第２のセットを選択することによって複数の第1の周波数分離信号４０２および複数の第２の周波数分離信号４０８を選択または抽出し、ここで、交互の周波数点の第２のセットは交互の周波数点の第１のセットと交互配置されている。結合された第１の波形４００に関する重畳波形４１４の部分として受信された複数の第1の周波数分離信号４０２、および第１の波形４００内で送信されたとおりの複数の第1の試験信号４０２を用いて、係数プロセッサ・ユニット２５２は自己干渉伝達関数４１６の部分推定を発生し（ステップ３１０）、同様に、重畳波形４１４内で受信されたとおりの複数の第２の周波数分離信号４０８、および第２の波形４０６内で送信されたとおりの複数の第２の試験信号４０８を用いて、係数プロセッサ・ユニット２５２は除去伝達関数４１８の部分推定を発生する（ステップ３１２）。受信信号入力ノード２２６に結合されたそれぞれの第１および複数の第２の信号４０２、４０８には、交互の周波数点における信号がそれぞれ存在しないため、推定は部分的である。自己干渉伝達関数４１６の部分推定に関して、推定は、推定された係数の間の交互の係数を欠いている。したがって、補間プロセッサは、本例では補間によって、自己干渉伝達関数の部分推定に存在しない係数、例えば、それぞれ、第１の波形内に存在する隣接する周波数の間にある周波数に対応する係数を算出する（ステップ３１４）、例えば、推定する。この点について、これは、それぞれ、第１の波形内の隣接する周波数分離信号の間にある周波数に関するものであることができる。このように、自己干渉伝達関数の完全推定４２０が得られる（図７）。同様に、除去伝達関数４１８の部分推定に関して、推定は、推定された係数の間の交互の係数を欠いている。したがって、補間プロセッサは、本例では補間によって、除去伝達関数の部分推定に存在しない係数、例えば、第２の波形内に存在する周波数に対応する係数を算出する（ステップ３１６）、例えば、推定する。この点について、これは、それぞれ、第２の波形内の隣接する周波数分離信号の間にある周波数に関するものであることができる。このように、除去伝達関数の完全推定４２２が得られる（図７）。
【００７９】
自己干渉伝達関数４２０および除去伝達関数４２２の完全推定の発生に続き、補間プロセッサ２５５の助けを借りて、完成された推定４２０、４２２が係数プロセッサ２５２へ通信され、係数プロセッサ２５２は上述の等式（２）を利用し、本例では第２の周波数領域伝達関数による第１の周波数領域伝達関数の負号除算である、適応フィルタ２３１の係数を算出する（ステップ３１８）。次に、算出された係数は適応フィルタ２３１に適用され（ステップ３２０）、これにより、受信信号入力ノード２２６において、除去信号が、例えば、入力ノード２１４からハイブリッド回路２１６の出力ノード２２４への第１の波形の漏れの結果として、受信信号入力ノード２２６において受信されたとおりの送信信号内に存在する不必要な信号成分を除去するよう、補助送信器チェーン２２７によって発生された除去信号を「成形する」ように適応フィルタ２３１を設定する。
【００８０】
適応フィルタ２３１の初期プログラミングの完了に続き、第１のスイッチング・ユニット２２９が、観念上のタッピング点２２８、例えば、第１の直列−並列変換器ユニット２０２の複数の出力を適応フィルタユニット２３１の複数の第1の入力および係数プロセッサ２５２の複数の第２の入力に結合するよう指示される。第２のスイッチング・ユニット２３２もまた、適応フィルタユニット２３１の複数の出力を第２のＩＦＦＴユニット２３３の複数の入力に結合するよう指示される。
【００８１】
その後、アクティブ干渉除去装置が送信データの通信のための波形を主送信器チェーン２００内で発生し、補助送信器チェーン２２７が、アンテナおよび受信器チェーン２４１を介して受信された受信信号内に存在する不必要な信号成分を除去するための除去信号を発生し、任意の好適な技法に従って、例えば、無線通信規格、例えば、ＬＴＥに従って受信信号を復号する。
【００８２】
この点について、送信データの通信のために発生された波形に関連する主送信器チェーン２００内の一時的信号が観念上のタッピング点２２８を介して補助送信器チェーン２２７内へタッピングされ、以上において決定された算出されたイコライザ係数を適用する適応フィルタ２３１によって変更される。補助送信器チェーン２２７は、変更されたタッピングされた一時的信号を完全に処理し、送信器出力ノード（本例では、主送信器無線ユニット２１２の出力）から受信信号入力ノード２２６に結合されたとおりの送信信号を除去する、受信信号入力ノード２２６における除去信号をもたらす。除去信号は、受信信号入力ノード２２６において受信された送信信号の逆位相推定である。本例では、したがって、除去信号は、受信信号入力ノード２２６に結合されたとおりの送信信号に相殺的に干渉する。
【００８３】
別の例では、共通波形、例えば、第１の波形および第２の波形４００、４０６の両方のための共通パイロット波形を採用することによって達成される、数学演算に対する単純化が利用され得る。この点について、自己干渉伝達関数Δ（ω）は次式によって与えられることができる：
【数３】
2021525013.tif 000005
【００８４】
ここで、ＳＲｘＴｘ（ω）は、第１の波形４００に関する受信器チェーン２４１の出力において発生される信号であり、ＳＰ１は、第１の波形４００を構成し、複数の第１の副搬送波を含む第１のパイロット信号である。以上の等式（４）は、補助送信器チェーン２２７が第２の波形４０６を送信していないことを仮定する。
【００８５】
除去伝達関数Θ（ω）は同様の仕方で算出される。この点において、除去伝達関数Θ（ω）は以下の式によって与えられることができる：
【数４】
2021525013.tif 000006
【００８６】
ここで、ＳＲｘＴｘ（ω）は、第２の波形４０６に関する受信器チェーン２４１の出力において発生される信号であり、ＳＰ２は、第２の波形４０６を構成し、複数の第２の副搬送波を含む第２のパイロット信号である。以上の等式（３）は、主送信器チェーン２００が第１の波形４００を送信していないことを仮定する。
【００８７】
等式（３）および（４）を、以前に導出された等式（２）に代入することで、次式を得る：
【数５】
2021525013.tif 000007
【００８８】
しかし、共通パイロットＳＰ（ω）が第１および第２の波形４００、４０６に関して採用される場合には：
【数６】
2021525013.tif 000008
【００８９】
この単純化を用いると、周波数領域イコライザ係数の推定は次式に単純化する：
【数７】
2021525013.tif 000009
【００９０】
このようなアプローチは、遂行されるべき算出を副搬送波ごとに単一の除算に低減することによって、係数プロセッサ２５２の計算オーバヘッドを低減する。記憶オーバヘッドもまた低減される。
【００９１】
この点について、副搬送波を含む第１および第２の波形の文脈においては、周波数領域イコライザ係数の推定は次式として表され得る：
【数８】
2021525013.tif 000010
【００９２】
ここで、ｋは副搬送波番号である。
【００９３】
共通の第１および第２の波形４００、４０６は、各波形が、異なる周波数点における信号を含み、同時に送信されるにもかかわらず、図２の第１の装置および図４の第２の装置に関して利用され得、第１の波形４００および第２の波形４０６は両方とも、共通の基礎をなす連続周波数関数ＳＰ（ω）の離散化を含むが、離散化は異なる周波数点において遂行され得る。
【００９４】
以上において説明された本発明の例示的な実施形態は、限定ではなく、例示であると考えられる。上述の実施形態に対する様々な変更が、本発明の趣旨および範囲から逸脱することなく行われ得る。
【００９５】
当業者は、上述の実装形態は、添付の請求項の範囲内で考え得る様々な実装形態の単なる例にすぎないことを理解するべきである。実際に、例えば、第２の波形発生器２３０は、第１のスイッチング・ユニット２２９を用いて適応フィルタユニット２３１を迂回する代わりに、適応フィルタユニット２３１の複数の第1の入力に結合されてもよい。このような例では、第１のスイッチング・ユニット２２９は、観念上のタッピング点２２８を適応フィルタユニット２３１に結合することを優先して、第２の波形発生器２３０を適応フィルタユニット２３１に選択的に結合するために利用されてもよく、第２の波形発生器２３０が適応フィルタユニット２３１に結合されるときには、適応フィルタユニット２３１の係数はユニティ・ゲインに設定されてもよい。
【００９６】
本明細書において説明されるハイブリッド回路２１６に関して、当業者は、任意の好適な構成が採用され得ることを理解するべきである。例えば、上述の実施形態では、変成器ハイブリッド分岐が説明された。別の実施形態では、直角位相（ｑｕａｄｒａｔｕｒｅ）ハイブリッド分岐が採用されたが、他の変形例、例えば、１８０°変成器ハイブリッド分岐も用いられ得るであろう。他の好適な種類のハイブリッド分岐、例えば、導波管ハイブリッド分岐が採用されることも可能である。
【００９７】
上述の実施形態のシステムおよび方法は、上述された構造構成要素およびユーザ対話に加えて、コンピュータ・システムにおいて（具体的には、コンピュータ・ハードウェアもしくはコンピュータ・ソフトウェアにおいて）、または特定的に製造された、もしくは適応させられた集積回路において実施されてもよい。上述の実施形態の方法は、コンピュータ・プログラムとして、またはコンピュータまたは他のプロセッサ上で実行されたときに、上述された方法を遂行するように構成されたコンピュータ・プログラムを保持する、コンピュータ・プログラム製品もしくはコンピュータ可読媒体として提供されてもよい。
【００９８】
用語「コンピュータ可読媒体」は、限定するものではないが、コンピュータまたはコンピュータ・システムによって直接読み取られ、アクセスされ得る任意の媒体（ｍｅｄｉｕｍ）または媒体群（ｍｅｄｉａ）を含む。媒体（ｍｅｄｉａ）は、限定するものではないが、フロッピー・ディスク、ハード・ディスク記憶媒体、および磁気テープなどの磁気記憶媒体、光ディスクまたはＣＤ−ＲＯＭなどの光学記憶媒体、ＲＡＭ、ＲＯＭ、およびフラッシュ・メモリを含む、メモリなどの電気記憶媒体、ならびに磁気／光学記憶媒体などの上述のもののハイブリッドおよび組合せを含むことができる。
【図１】
2021525013.tif 000011
【図２】
2021525013.tif 000012
2021525013.tif 000013
【図３】
2021525013.tif 000014
【図５】
2021525013.tif 000015
【図６】
2021525013.tif 000016
【図７】
2021525013.tif 000017
【図８】
2021525013.tif 000018
【手続補正書】
【提出日】令和2年12月1日(2020.12.1)
【手続補正１】
【補正対象書類名】明細書
【補正対象項目名】００５６
【補正方法】変更
【補正の内容】
【００５６】
第１のサイクリック・プレフィックス付加ユニット２０８の出力は第１のデジタル−アナログ変換器（ＤＡＣ）ユニット２１０に動作可能に結合され、第１のＤＡＣユニット２１０は主送信器無線ユニット２１２に動作可能に結合されている。送信器出力ノードを構成する、主送信器無線ユニット２１２の出力ノードはハイブリッド回路２１６の入力ノード２１４に動作可能に結合されている。ハイブリッド回路２１６のアンテナノード２１８はアンテナ１１０に動作可能に結合されている。ハイブリッド回路２１６の平衡化ノード２２０は可変インピーダンス２２２に動作可能に結合され、ハイブリッド回路２１６の出力ノード２２４は受信信号入力ノードに動作可能に結合され、受信信号入力ノードは、本例では、第１の入力および第２の入力を有する信号加算ユニット２２６であり、第１の入力はハイブリッド回路２１６の出力ノード２２４に動作可能に結合されている。
【手続補正２】
【補正対象書類名】明細書
【補正対象項目名】００５７
【補正方法】変更
【補正の内容】
【００５７】
送信器回路１０４の補助送信器チェーン２２７への入力信号を提供するために、観念上のタッピング点２２８が副搬送波マッパ・ユニット２０３と第１のＩＦＦＴユニット２０４との間に設けられており、補助送信器チェーン２２７は送信器チェーン処理段階ユニットを含む。それゆえ、副搬送波マッパ・ユニット２０３の複数の出力は第１のスイッチング・ユニット２２９の複数の入力にも動作可能に結合され、第１のスイッチング・ユニット２２９の複数の第1の出力は第２の波形発生器２３０の複数の入力に動作可能に結合されている。副搬送波マッパ・ユニット２０３の複数の出力は係数プロセッサ２５２にも動作可能に結合されている。第１のスイッチング・ユニット２２９の複数の第２の出力は、適応フィルタユニット２３１、例えば、第２のスイッチング・ユニット２３２の複数の第1の入力に動作可能に結合された複数の出力を有する周波数領域イコライザ（Ｆｒｅｑｕｅｎｃｙ  Ｄｏｍａｉｎ  Ｅｑｕａｌｉｓｅｒ、ＦＤＥ）の複数の第1の入力に動作可能に結合されている。第２の波形発生器２３０の複数の出力は第２のスイッチング・ユニット２３２の複数の第２の入力に結合されている。第２の波形発生器２３０の複数の出力は係数プロセッサ２５２にも結合されている。第２のスイッチング・ユニット２３２の複数の出力は第２のＩＦＦＴユニット２３３の複数の入力に結合されている。第２のＩＦＦＴユニット２３３の複数の出力は第２の並列−直列変換器ユニット２３４の複数の入力に動作可能に結合され、第２の並列−直列変換器ユニット２３４は第２のサイクリック・プレフィックス付加ユニット２３６に動作可能に結合されている。第２のサイクリック・プレフィックス付加ユニット２３６の出力は第２のＤＡＣユニット２３８に動作可能に結合され、第２のＤＡＣユニット２３８は補助送信器無線ユニット２４０に動作可能に結合されている。補助送信器無線ユニット２４０の出力ノードは、受信信号入力ノードの、上述された、第２の入力に動作可能に結合されている。第２のＩＦＦＴユニット２３３、第２の並列−直列変換器ユニット２３４、第２のサイクリック・プレフィックス付加ユニット２３６、第２のＤＡＣユニット２３８、および／または補助送信器無線ユニット２４０のうちの１つまたは複数は、本例では、主送信器チェーン２００によってサポートされた変調方式である、所望の変調方式に従って波形の処理を完了するように構成された補助送信器チェーン処理段階ユニットを構成する。無論、本例の補助送信器チェーン２２７は、説明の簡潔性のために簡略化された仕方で説明され、当業者は、送信器チェーン処理段階ユニットが、主送信器チェーン２００内に存在する送信信号の発生をサポートする他の機能処理段階を含むことができることを理解するであろう。
【手続補正３】
【補正対象書類名】明細書
【補正対象項目名】００５８
【補正方法】変更
【補正の内容】
【００５８】
受信器回路１０６の受信器チェーン２４１は受信信号入力ノードを含み、受信信号入力ノードは受信器無線ユニット２４２の入力に動作可能に結合されている。受信器無線ユニット２４２の出力はアナログ−デジタル変換器（Ａｎａｌｏｇｕｅ−ｔｏ−Ｄｉｇｉｔａｌ  Ｃｏｎｖｅｒｔｅｒ、ＡＤＣ）ユニット２４４の入力に動作可能に結合され、ＡＤＣユニット２４４の出力はサイクリック・プレフィックス除去ユニット２４６の入力に動作可能に結合されている。サイクリック・プレフィックス除去ユニット２４６の出力は、高速フーリエ変換（Ｆａｓｔ  Ｆｏｕｒｉｅｒ  Ｔｒａｎｓｆｏｒｍ、ＦＦＴ）ユニット２５０の複数の入力にそれぞれ動作可能に結合された複数の出力を有する第２の直列−並列変換器ユニット２４８の入力に動作可能に結合されている。ＦＦＴユニット２５０の複数の出力は、それぞれ、ＦＤＥ係数プロセッサ２５２の複数の第1の入力に、およびそれぞれ、無線チャンネルＦＤＥユニット２５４の複数の入力に動作可能に結合されている。ＦＤＥ係数プロセッサ２５２は補間プロセッサ２５５を含む。しかし、当業者は、補間プロセッサ２５５が、実施の便益に従って、ＦＤＥ係数プロセッサ２５２に対して別の仕方で配置され得るであろうことを理解するであろう。例えば、補間プロセッサ２５５はＦＤＥ係数プロセッサ２５２に動作可能に結合されていてもよい。ＦＤＥ係数プロセッサ２５２の複数の出力は、それぞれ、適応フィルタユニット２３１の複数の第２の入力に動作可能に結合されている。ＦＤＥ係数プロセッサ２５２の複数の第２の入力は第１のスイッチング・ユニット２２９の複数の第２の出力に動作可能に結合されている。
【手続補正４】
【補正対象書類名】明細書
【補正対象項目名】００７６
【補正方法】変更
【補正の内容】
【００７６】
いずれにせよ、どちらの実施形態に関しても、受信信号入力ノードにおいて、第１の波形４００および第２の波形４０６が受信され（ステップ３０８）、合成波形を構成する、第１および第２の波形４００、４０６の両方の重畳４１４が受信信号入力ノードの出力において出力される。次に、波形４１４の重畳は受信器チェーン２４１によって処理される。この点において、受信器無線ユニット２４２が波形４１４の重畳をベースバンドにダウン・コンバートし、受信されたベースバンド信号はＡＤＣユニット２４４によってデジタル領域に変換される。その後、サイクリック・プレフィックス除去ユニット２４６がサイクリック・プレフィックスを、ＡＤＣユニット２４４によって出力されたデジタル信号から除去する。次に、第２の直列−並列変換器ユニット２４８が、サイクリック・プレフィックスを取り除かれたデジタル信号を複数の並列デジタル受信信号に変換し、各出力は（第１および第２の波形４００、４０６から導出された）重畳波形４１４の信号の周波数に対応する。
【手続補正５】
【補正対象書類名】明細書
【補正対象項目名】００７８
【補正方法】変更
【補正の内容】
【００７８】
具体的には、係数プロセッサ・ユニット２５２は、その入力における、副搬送波マッパ２０３および波形発生器２３０の出力によってそれぞれ提供されたとおりの、送信波形４００、４０６を観察し、複数の第１の周波数点４０３および複数の第２の周波数点４１０を決定する。次に、係数プロセッサ・ユニット２５２は、第１の波形４００の複数の第１の周波数分離信号４０２が重畳波形４１４の複数の第１の周波数点４０３に配置され、第２の波形４０６の複数の第２の周波数分離信号４０８が重畳波形４１４の複数の第２の周波数点４１０に配置されていることの知識を用いて、実施の基本設定に依存して、交互の周波数点の第１のセットおよび交互の周波数点の第２のセットを選択することによって複数の第１の周波数分離信号４０２および複数の第２の周波数分離信号４０８を選択または抽出し、ここで、交互の周波数点の第２のセットは交互の周波数点の第１のセットと交互配置されている。結合された第１の波形４００に関する重畳波形４１４の部分として受信された複数の第１の周波数分離信号４０２、および第１の波形４００内で送信されたとおりの複数の第１の試験信号４０２を用いて、係数プロセッサ・ユニット２５２は自己干渉伝達関数４１６の部分推定を発生し（ステップ３１０）、同様に、重畳波形４１４内で受信されたとおりの複数の第２の周波数分離信号４０８、および第２の波形４０６内で送信されたとおりの複数の第２の試験信号４０８を用いて、係数プロセッサ・ユニット２５２は除去伝達関数４１８の部分推定を発生する（ステップ３１２）。受信信号入力ノードに結合されたそれぞれの第１および複数の第２の信号４０２、４０８には、交互の周波数点における信号がそれぞれ存在しないため、推定は部分的である。自己干渉伝達関数４１６の部分推定に関して、推定は、推定された係数の間の交互の係数を欠いている。したがって、補間プロセッサは、本例では補間によって、自己干渉伝達関数の部分推定に存在しない係数、例えば、それぞれ、第１の波形内に存在する隣接する周波数の間にある周波数に対応する係数を算出する（ステップ３１４）、例えば、推定する。この点について、これは、それぞれ、第１の波形内の隣接する周波数分離信号の間にある周波数に関するものであることができる。このように、自己干渉伝達関数の完全推定４２０が得られる（図７）。同様に、除去伝達関数４１８の部分推定に関して、推定は、推定された係数の間の交互の係数を欠いている。したがって、補間プロセッサは、本例では補間によって、除去伝達関数の部分推定に存在しない係数、例えば、第２の波形内に存在する周波数に対応する係数を算出する（ステップ３１６）、例えば、推定する。この点について、これは、それぞれ、第２の波形内の隣接する周波数分離信号の間にある周波数に関するものであることができる。このように、除去伝達関数の完全推定４２２が得られる（図７）。
【手続補正６】
【補正対象書類名】明細書
【補正対象項目名】００７９
【補正方法】変更
【補正の内容】
【００７９】
自己干渉伝達関数４２０および除去伝達関数４２２の完全推定の発生に続き、補間プロセッサ２５５の助けを借りて、完成された推定４２０、４２２が係数プロセッサ２５２へ通信され、係数プロセッサ２５２は上述の等式（２）を利用し、本例では第２の周波数領域伝達関数による第１の周波数領域伝達関数の負号除算である、適応フィルタ２３１の係数を算出する（ステップ３１８）。次に、算出された係数は適応フィルタ２３１に適用され（ステップ３２０）、これにより、受信信号入力ノードにおいて、除去信号が、例えば、入力ノード２１４からハイブリッド回路２１６の出力ノード２２４への第１の波形の漏れの結果として、受信信号入力ノードにおいて受信されたとおりの送信信号内に存在する不必要な信号成分を除去するよう、補助送信器チェーン２２７によって発生された除去信号を「成形する」ように適応フィルタ２３１を設定する。
【手続補正７】
【補正対象書類名】明細書
【補正対象項目名】００８２
【補正方法】変更
【補正の内容】
【００８２】
この点について、送信データの通信のために発生された波形に関連する主送信器チェーン２００内の一時的信号が観念上のタッピング点２２８を介して補助送信器チェーン２２７内へタッピングされ、以上において決定された算出されたイコライザ係数を適用する適応フィルタ２３１によって変更される。補助送信器チェーン２２７は、変更されたタッピングされた一時的信号を完全に処理し、送信器出力ノード（本例では、主送信器無線ユニット２１２の出力）から受信信号入力ノードに結合されたとおりの送信信号を除去する、受信信号入力ノードにおける除去信号をもたらす。除去信号は、受信信号入力ノードにおいて受信された送信信号の逆位相推定である。本例では、したがって、除去信号は、受信信号入力ノードに結合されたとおりの送信信号に相殺的に干渉する。
【手続補正８】
【補正対象書類名】図面
【補正対象項目名】図２
【補正方法】変更
【補正の内容】
【図２】
2021525013.tif 000019
【手続補正９】
【補正対象書類名】図面
【補正対象項目名】図４
【補正方法】変更
【補正の内容】
【図４】
2021525013.tif 000020
【国際調査報告】
2021525013.tif 000021
2021525013.tif 000022